(57)【要約】  底部壁を含む容器本体であって、底部壁は容器本体の内部を少なくとも部分的に形成する、容器本体を含む医薬容器。底部壁は内部へ延在する隆起部を含む。医薬容器は、隆起部に取り外し可能に結合可能であるキャニスタ基部も含む。キャニスタ基部は、キャニスタ基部が隆起部に結合されたときに、容器本体の内部で乾燥剤キャニスタを保持するようにさらに構成されている。
2021528198.tif 000002
【特許請求の範囲】
【請求項１】
底部壁を備える容器本体であって、底部壁は容器本体の内部を少なくとも部分的に画定し、底部壁は内部へ延在する隆起部を具備する容器本体と、
隆起部と取り外し可能に結合可能であるキャニスタ基部であって、キャニスタ基部が隆起部に結合されたときに、容器本体の内部で乾燥剤キャニスタを保持するようにさらに構成されているキャニスタ基部と、
を備える医薬容器。
【請求項２】
キャニスタ基部は、キャニスタ基部の開口部を画定する側壁と、開口部の反対側にある上部壁と、上部壁に形成されたキャニスタソケットとを備え、キャニスタソケットは、乾燥剤キャニスタを保持するように構成されている、請求項１に記載の医薬容器。
【請求項３】
キャニスタ基部の寸法が、キャニスタ基部を隆起部に結合するために開口部に隆起部が挿入可能であるように、隆起部に亘ってキャニスタ基部が延在するように決められる、請求項２に記載の医薬容器。
【請求項４】
キャニスタ基部の側壁及び上部壁の各々が、キャニスタ基部を通過する、容器本体の内部と乾燥剤キャニスタとの間の気流経路が設けられるように、これらに形成された少なくとも１つの通気開口部を備える、請求項２に記載の医薬容器。
【請求項５】
側壁は、キャニスタ基部が隆起部に結合されたときに隆起部と上部壁との間に隙間が形成されるような高さを有し、隙間によって気流経路がさらに画定される、請求項４に記載の医薬容器。
【請求項６】
キャニスタソケットは少なくとも１つの保持特徴部を備え、少なくとも１つの保持特徴部は、キャニスタ基部に乾燥剤キャニスタを結合するように構成されている、請求項２に記載の医薬容器。
【請求項７】
キャニスタソケットは、ソケット本体と、ソケット本体から延在する複数の保持アームとをさらに備え、複数の保持アームに少なくとも１つの保持特徴部が形成される、請求項６に記載の医薬容器。
【請求項８】
キャニスタ基部は、隆起部にスナップ式接続を用いて結合可能である、請求項１に記載の医薬容器。
【請求項９】
隆起部は側壁を備え、側壁は、それに形成された少なくとも１つの係合特徴部を有し、キャニスタ基部は側壁を備え、側壁は、それに形成された少なくとも１つの係合部材を有し、少なくとも１つの係合部材は、キャニスタ基部が隆起部に結合されたときに、少なくとも１つの係合特徴部と底部壁との間に配置される、請求項８に記載の医薬容器。
【請求項１０】
容器本体は、容器本体の内部への出し入れを実現するように構成されている開口部を形成するネック部をさらに備え、キャニスタ基部の寸法が、開口部を通してキャニスタ基部が挿入可能であるように決められる、請求項１に記載の医薬容器。
【請求項１１】
医薬容器の組立方法であって、
医薬容器の開口部を通してキャニスタ基部を挿入するステップであって、医薬容器は、底部壁と、底部壁によって少なくとも部分的に画定された内部とを有する容器本体を含み、底部壁は内部へ延在する隆起部を含むステップと、
キャニスタ基部を隆起部に取り外し可能に結合するステップと、
キャニスタ基部に乾燥剤キャニスタを結合するステップと、
を備える方法。
【請求項１２】
キャニスタ基部を取り外し可能に結合するステップは、キャニスタ基部を隆起部にスナップ式接続を用いて結合するステップを備える、請求項１１に記載の方法。
【請求項１３】
乾燥剤キャニスタが内部に封入されるように、開口部に誘導加熱封止を行なうステップをさらに備える、請求項１１に記載の方法。
【請求項１４】
乾燥剤キャニスタは開放端及び閉鎖端を含み、開放端が閉鎖端よりも底部壁に近いように乾燥剤キャニスタを向けるステップをさらに備える、請求項１１に記載の方法。
【請求項１５】
乾燥剤キャニスタを結合するステップは、乾燥剤キャニスタの開放端をキャニスタ基部に形成された少なくとも１つの保持特徴部に係合するステップを備える、請求項１４に記載の方法。
【請求項１６】
乾燥剤キャニスタを結合するステップは、乾燥剤キャニスタの閉鎖端をキャニスタ基部に形成された少なくとも１つの保持特徴部に係合するステップを備える、請求項１４に記載の方法。
【請求項１７】
医薬容器の製造方法であって、
金型組立体内にブロー成形インサートを配置するステップであって、ブロー成形インサートは、ブロー成形インサート上に形成された成形プリフォームを有し、金型組立体は、医薬容器の底部壁を形成するように成形された下端を含む、ステップと、
金型組立体内で、その下端に形成部材を配置するステップと、
金型組立体及び形成部材の形状に沿わされるように成形プリフォームを膨らませるステップであって、形成部材の形状に沿わされた成形プリフォームの部分が医薬容器の底部壁の隆起部を形成するステップと、
金型組立体から形成部材を取り除くステップと、
を備える方法。
【請求項１８】
形成部材は、隆起部の係合特徴部を形成するように構成されている本体部及び径方向フランジを備え、形成部材を取り除くステップは、金型組立体から形成部材を取り除く前に、成形プリフォームを径方向フランジの周囲で少なくとも所定程度硬化させるステップを備える、請求項１７に記載の方法。
【請求項１９】
径方向フランジが本体部に対して固定位置にある場合、径方向フランジは保持力で医薬容器によって金型組立体内で保持され、形成部材を取り除くステップは、保持力に打ち勝つように形成部材を医薬容器から強制的に引き抜くステップをさらに備える、請求項１８に記載の方法。
【請求項２０】
形成部材を取り除くステップは、医薬容器から形成部材を取り除く前に、径方向フランジを本体部内に引き込むステップをさらに備える、請求項１８に記載の方法。
【発明の詳細な説明】
【技術分野】
【０００１】
関連出願の相互参照
本出願は、２０１８年６月２６日に出願された米国仮出願第６２／６８９，９１１号の優先権を主張し、この仮出願の全体が参照により本明細書に援用される。
【０００２】
本開示の分野は概して医薬容器に関し、特に、複数用量分の医薬を保存し、複数用量分の医薬による水蒸気及び酸素の吸収を管理する乾燥剤キャニスタを内部に保持する耐水蒸気酸素医薬容器に関する。
【背景技術】
【０００３】
少なくともいくつかの既知の医薬品は水蒸気及び酸素に曝されないように保護して、例えば医薬品の効能を維持する必要がある。そのために、医薬品は乾燥剤と共に密封容器に包装され保存される場合がある。乾燥剤により、容器の内部から水蒸気及び酸素を除去することによって医薬品の保存可能期間を延ばすことが容易になることから、乾燥剤は多数の仕方で容器内に組み込まれる場合がある。
【０００４】
例えば、少なくともいくつかの既知の医薬容器では、１つ以上の乾燥剤粒子や乾燥剤容器が容器内に挿入され、保存されている医薬品と共に容器内で自由に動くことができるようにされる。しかし、乾燥剤が容器内で自由に動くことができるようにすることにより、容器から乾燥剤が意図せず取り出され易くなり、この結果、消費者によって乾燥剤が廃棄される場合がある。また、乾燥剤が容器内で自由に動くことができるようにすることにより、乾燥剤と一緒になって容器の開口部を塞ぐ可能性があることによって容器から医薬品を取り出すことがますます困難になり易くなる。
【０００５】
これの代わりに、乾燥剤が容器のキャップや、容器の開口部を覆う封止体と一体化される場合がある。特に、キャップと一体化される場合には、キャップを用いて内部を封じ込めるときに乾燥剤は容器の開口部を通って容器の内部の方に延びるように向けられる。しかし、容器の開口部を通して乾燥剤を延ばすと、容器の開口部の誘導加熱封止（ｉｎｄｕｃｔｉｏｎ  ｓｅａｌｉｎｇ）ができなくなる。さらに、乾燥剤一体型封止体を実施するには、容器の開口部及び容器組立ラインに大規模な改修がなされることが必要であることが一般的である。
【０００６】
いくつかの既知の医薬容器は、乾燥剤が入った挿入体を医薬容器に入れて保持するように構成される。例えば、容器の側壁に保持部材が形成される場合があり、保持部材によって挿入体が容器内で保持される場合がある。しかし、開口部を通して容器内に挿入体を設置し易くするように容器の開口部の寸法が決められなければならないので、挿入体の形状及び寸法によって容器の設計が制限される。これに加えて、乾燥剤挿入体が保持部材によって保持されるために、乾燥剤挿入体が容器の側壁まで延在しなければならない。したがって、内部の空間及び保存容量が減らされ、乾燥剤と医薬品との間の露出面積も減らされる。
【発明の概要】
【発明が解決しようとする課題】
【０００７】
したがって、乾燥剤を内部の固定位置に保持して狭隘部での閉塞を防止し、容器の標準外形、保存容量及び／又はその他の機能に大きな影響を与えない、乾燥剤を容器内で保持する手段を含む乾燥剤内蔵医薬容器が必要である。
【課題を解決するための手段】
【０００８】
一態様では、医薬容器が提供される。医薬容器は、容器本体の内部を少なくとも部分的に画定する底部壁を含む容器本体を含む。底部壁は内部に延在する隆起部を含む。医薬容器は、隆起部に取り外し可能に結合可能であるキャニスタ基部も含む。キャニスタ基部は、キャニスタ基部が隆起部に結合されたときに容器本体の内部で乾燥剤キャニスタを保持するようにさらに構成されている。
【０００９】
別の態様では、医薬容器の組立方法が提供される。本方法は、医薬容器の開口部を通してキャニスタ基部を挿入するステップであって、医薬容器は、容器本体の内部を少なくとも部分的に画定する底部壁を有する容器本体を含み、底部壁は内部に延在する隆起部を含む、ステップを含む。方法は、キャニスタ基部を隆起部に取り外し可能に結合するステップと、キャニスタ基部に乾燥剤キャニスタを結合するステップとをさらに含む。
【００１０】
さらに別の態様では、医薬容器の製造方法が提供される。方法は、金型組立体内にブロー成形インサートを配置するステップを含む。ブロー成形インサートはブロー成形インサート上に形成された成形プリフォームを有し、金型組立体は医薬容器の底部壁を画定するように成形された下端を含む。方法は、金型組立体内で下端に形成部材を配置するステップと、金型組立体及び形成部材の形状に沿わされるように成形プリフォームを膨らませるステップとをさらに含む。形成部材の形状に沿わされた成形プリフォームの部分は医薬容器の底部壁の隆起部を形成する。その後、形成部材は金型組立体から取り除かれる。
【図面の簡単な説明】
【００１１】
【図１】医薬容器例の破断斜視図である。
【図２】図１に示されている医薬容器の一部の拡大破断斜視図である。
【図３】図１に示されている医薬容器の底部の破断斜視図である。
【図４】キャニスタ基部例の斜視図である。
【図５】図４に示されているキャニスタ基部の断面図である。
【図６】乾燥剤キャニスタの例の斜視図である。
【図７】図６に示されている乾燥剤キャニスタの断面図である。
【図８】図１に示されているキャニスタ組立体例の斜視図である。
【図９】図１に示されている医薬容器に用いられることができる別のキャニスタ組立体の斜視図である。
【図１０】医薬容器を製造するための一連のプロセスステップを示すフロー図である。
【図１１】別の医薬容器の破断斜視図である。
【図１２】図１１に示されている医薬容器の底部の破断斜視図である。
【図１３】図１１に示されているキャニスタ基部の斜視図である。
【図１４】図１１に示されている医薬容器と共に用いられることができる別のキャニスタ基部の斜視図である。
【図１５】図１１に示されている医薬容器と共に用いられることができる別のキャニスタ基部の斜視図である。
【図１６】図１１に示されている医薬容器を組み立てるのに用いられることができる組立装置の例の分解図である。
【図１７】図１１に示されている医薬容器と共に用いられることができる別のキャニスタ基部の斜視図である。
【図１８】図１７に示されているキャニスタ基部の断面図である。
【図１９】図１７に示されているキャニスタ基部の上面図である。
【図２０】別の医薬容器の正面部分破断図である。
【図２１】図２０に示されている医薬容器の断面図である。
【図２２】図２０に示されている医薬容器に用いられることができる別のキャニスタ基部の斜視断面図である。
【図２３】別の医薬容器の部分破断図である。
【図２４】図２３に示されている医薬容器の断面図である。
【図２５】図２３に示されている医薬容器に用いられることができる別の長尺キャニスタ基部の斜視図である。
【図２６】図２５に示されている長尺キャニスタ基部の断面図である。
【図２７】別の医薬容器の部分破断図である。
【図２８】図２７に示されている医薬容器の断面図である。
【発明を実施するための形態】
【００１２】
以下の詳細な説明は、限定としてではなく例として開示を示している。本説明は、当業者が開示をなして使用することを可能にし、本開示を実施する最良の態様であると現時点で考えられているものを含む、本開示のいくつかの実施形態、修正例、変形例、代替例及び使用例を説明する。
【００１３】
本開示の実施形態は、複数用量分の医薬を保存し、複数用量分の医薬による水蒸気及び酸素の吸収を管理する乾燥剤キャニスタを内部に保持する、耐水蒸気酸素医薬容器に関する。
【００１４】
医薬容器の、例えば寸法、形状及び幾何学的特性は、複数用量分の医薬を保存するように設定されている。いくつかの例では、医薬はヤヌスキナーゼ（ＪＡＫ）阻害薬（例えばｕｐａｔａｃｉｔｉｎｉｂ）などの経口低分子薬であってもよい。複数用量分の医薬はタブレット状であってもよい。いくつかの例では、医薬は、酸化分解してホルムアルデヒドを形成するポリエチレングリコールなど、酸化分解して水と反応し得る形態になる賦形剤を含む場合がある。例えば、医薬品有効成分（ＡＰＩ）は、医薬の保存中にホルムアルデヒド（ポリエチレングリコールの分解によって形成される）、水及び触媒量の酸若しくは塩基又は高温と反応して１以上のホルムアルデヒド付加副生成物を形成し得る反応性基（塩基性窒素原子など）を含む場合がある。ポリエチレングリコールを含む製剤中の水分含有量の増加が、１以上の望ましくないホルムアルデヒド付加副生成物の形成の増加に関連する場合がある。耐水蒸気酸素医薬容器により、ＡＰＩの分解を抑えることができ、望ましくない副生成物の形成を抑えることもできる。
【００１５】
医薬容器は底部壁を含む容器本体を含み、底部壁は底部壁に形成された隆起部を有する。また、医薬容器は、隆起部に取り外し可能に結合可能であるキャニスタ基部を含む。キャニスタ基部は、キャニスタ基部が隆起部に結合されたときに、乾燥剤キャニスタが容器の内部の決められた不動の位置にあるように乾燥剤キャニスタを保持するようにも構成されている。一実施形態では、乾燥剤キャニスタは、乾燥剤キャニスタに乾燥剤の粒子を入れる円筒形ハウジングである。円筒形ハウジングは、ハウジングを通り抜けて流れる空気中に含まれて運ばれる水蒸気及び酸素が乾燥剤によって除去されることができるように、円筒形ハウジングに形成された通気開口部を有する。乾燥剤キャニスタは大量生産されているものであってもよく、製造者などの団体から市販されているものであってもよい。したがって、いくつかの実施形態では、キャニスタ基部は、市販の乾燥剤キャニスタに適合するように設計される。
【００１６】
特に上記で説明されているように、本出願で説明されている医薬容器により、容器の内部の決められた不動の位置で乾燥剤キャニスタを保持するのが容易になる。特に、乾燥剤キャニスタはキャニスタ基部によって容器の底に保持される。したがって、組立プロセスの際に、キャニスタ基部及び乾燥剤キャニスタによって容器の誘導加熱封止が阻害されない。さらに、乾燥剤キャニスタが容器の開口部から医薬を取り出すことを妨げること及び／又は乾燥剤キャニスタが容器から出され、その後、例えば、消費者によって廃棄されることが防止される。本出願で用いられている用語「使用者」又は「消費者」は、容器組立体から出した内容物を消費したり使用したりしている１人以上の者（例えば患者）、医療提供者、及び／又は容器から出した内容物を消費する１人以上の者に容器から出した内容物を与える患者介護者（ｐａｔｉｅｎｔ  ａｓｓｉｓｔａｎｔ）を意味する。
【００１７】
本医薬容器は、容器の標準外形、保存容量及び／又はその他機能に大きな影響を与えない。特に、底部壁に取り付けられるようにキャニスタ基部を構成することは他の既知の容器設計に勝る効果を奏する。例えば、内部に取り付けられるために容器の側壁までキャニスタ基部が延在する必要がないので、キャニスタ基部の構造的取付け面（ｐｈｙｓｉｃａｌ  ｆｏｏｔｐｒｉｎｔ）が削減され、内容物が側壁と乾燥剤キャニスタとの間の空間に充填されるのを可能にすることによって、乾燥剤に対する容器の内容物の露出を拡大し易くなる。これに加えて、容器の組み立ては、容器のネック開口部を通してキャニスタ基部を挿入した後、キャニスタ基部を底部壁に取り付けるステップを含む。したがって、ネック開口部を通した挿入が容易になるようにキャニスタ基部の寸法が選択される一方で、底部壁に取り付けられるようにキャニスタ基部を構成することにより、キャニスタ基部の寸法とは無関係に容器の残りの寸法が選択されることが可能になる。したがって、本出願で説明されている医薬容器に、小さいネック部と比較的大きい容器部とによって形成される標準外形が形成されることができるので、容器が横倒しに傾けられるときに容器の内容物がこぼれる量を減らし易くなる。
【００１８】
以下図面を参照すると、図１は医薬容器１００の例の破断斜視図である。本実施形態では、医薬容器１００は、容器本体１０２と、容器本体１０２に取り外し可能に結合可能である容器キャップ１０４とを含む。特に、容器本体１０２は容器部１０６及びネック部１０８を含み、容器キャップ１０４は、ネック部１０８と係合して医薬容器１００を閉鎖するように構成されている。一実施形態では、容器部１０６は、容器本体１０２が容器部１０６とネック部１０８との間に画定される肩部１１０をさらに含むように、ネック部１０８よりも広い幅を持つ。
【００１９】
容器本体１０２の内部１１４への出し入れを実現する開口部１１２がネック部１０８によって画定され、容器キャップ１０４が容器本体１０２に結合されたときに開口部１１２を容器キャップ１０４が覆う。一実施形態では、ネック部１０８に結合される誘導加熱封止体（ｉｎｄｕｃｔｉｏｎ  ｓｅａｌ）１１６によって開口部１１２が最初に封止される。誘導加熱封止体１１６により、水蒸気及び／又は酸素に曝されないように医薬容器１００の内容物を保護し易くなり、例えば、医薬容器１００の輸送及び／又は保管中に内容物の保存可能期間を延ばし易くなる。いくつかの実施形態では、容器キャップ１０４は、消費者が誘導加熱封止体１１６を破ることを可能にする封止体カッタ（図示せず）を含む。
【００２０】
図１〜図３を参照して、容器本体１０２は底部壁１１８及び側壁１２０を含む。本実施形態では、底部壁１１８は底部壁１１８に形成された隆起部１２２を有し、隆起部１２２は内部１１４の方に延在するように向けられている。これに加えて、医薬容器１００は、内部１１４に配置されるキャニスタ組立体１２４を含む。キャニスタ組立体１２４は、キャニスタ基部１２６と、キャニスタ基部１２６に結合される乾燥剤キャニスタ１２８とを含み、以下、これらをさらに詳細に説明する。キャニスタ基部１２６が隆起部１２２に取り外し可能に結合される。隆起部１２２に結合されているときに、乾燥剤キャニスタ１２８が容器本体１０２の内部１１４の決められた不動の位置で保持される。
【００２１】
本実施形態では、キャニスタ基部１２６が隆起部１２２にスナップ式接続を用いて結合される。例えば、図２及び図３に示されているように、隆起部１２２が側壁１３０を含み、側壁１３０は、側壁１３０に形成された少なくとも１つの係合特徴部１３２を有する。係合特徴部１３２は、側壁１３０から延びる径方向突出部１３４を含み、径方向突出部１３４は、径方向突出部１３４と底部壁１１８との間に凹所１３６が画定されるように延在する。凹所１３６の寸法は、凹所１３６にキャニスタ基部１２６の一部を入れてスナップ式接続を用いてキャニスタ基部１２６を隆起部１２２の方に押さえつけておくのを容易にするように決められ、以下、これをさらに詳細に説明する。
【００２２】
一実施形態では、係合特徴部１３２が、隆起部１２２の径の両側に形成された一対の径方向突出部１３４を含む。代替態様では、径方向突出部１３４が隆起部１２２の全周に沿って形成される。
【００２３】
キャニスタ基部１２６は、キャニスタ基部１２６の開口部１４０を画定する側壁１３８と、開口部１４０の反対側にある上部壁１４２と、上部壁１４２に形成されたキャニスタソケット１４４とを含む。キャニスタ基部１２６の寸法は、キャニスタ基部１２６が隆起部１２２に結合されるときに、隆起部１２２が開口部１４０に挿入可能であるように隆起部１２２に亘ってキャニスタ基部１２６が延在するように決められている。これに加えて、側壁１３８は、側壁１３８に形成された少なくとも１つの係合部材１４６を含む。一実施形態では、複数の係合部材１４６が開口部１４０の周囲に周方向に配置されている。
【００２４】
本実施形態では、径の両側に位置する２つの係合部材１４６の間の開口部１４０の寸法は、隆起部１２２から延在して径方向両側に位置する２つの径方向突出部１３４を含む隆起部１２２の直径未満である。さらに、キャニスタ基部１２６は、医薬容器１００が本出願で説明されているように機能するのを可能にするいかなる材料からでも作製される。例えば、キャニスタ基部１２６は、キャニスタ基部１２６に既定の力が加えられるときに撓むことが可能であり、かつ／又は弾性的に変形可能であるプラスチック材料から作製されてもよい。キャニスタ基部１２６の寸法は、キャニスタ基部１２６が開口部１１２を通して挿入可能であるようにネック部１０８の開口部１１２よりも小さく決められる。したがって、医薬容器１００の組み立ての際、隆起部１２２に結合するために、キャニスタ基部１２６及び／又は乾燥剤キャニスタ１２８がネック部１０８の開口部１１２を通して挿入されることが可能である。例えば、隆起部１２２に結合するためにキャニスタ基部１２６が開口部１１２を通して挿入された後、内部１１４で乾燥剤キャニスタ１２８がキャニスタ基部１２６に結合されたり、あるいは隆起部１２２に結合するために、キャニスタ基部１２６に結合された乾燥剤キャニスタ１２８を含むキャニスタ組立体１２４が開口部１１２を通して挿入されたりされる。どちらの組立作業でも、スナップ式接続を係合させるようにキャニスタ基部１２６が隆起部１２２に被せられて操作される。すなわち、開口部１４０を通した隆起部１２２の挿入を可能にして、係合特徴部１３２と底部壁１１８との間に係合部材１４６を位置決めし易くするように、キャニスタ基部１２６の側壁１３８が径方向外方に撓む。したがって、キャニスタ基部１２６を底部壁１１８により強力に押さえつけておくようにするように係合部材１４６が係合特徴部１３２を把持する。
【００２５】
他の実施形態では、可撓性を有し、かつ／又は弾性的に変形可能であるプラスチック材料から隆起部１２２が作製されてもよく、隆起部の材料と比較して実質的に高剛性であり比較的撓み難いプラスチック材料からキャニスタ基部１２６が作製される。したがって、医薬容器１００の組み立ての際、隆起部１２２の径方向突出部１３４が開口部１４０を通した隆起部１２２の挿入を可能にするように径方向内方に撓む。
【００２６】
図４はキャニスタ基部１２６の斜視図であり、図５は線５‐５（図４に示されている）に沿って切断されたキャニスタ基部１２６の断面図である。本実施形態では、キャニスタ基部１２６の側壁１３８及び上部壁１４２の各々は、これに形成された少なくとも１つの通気開口部を含む。特に、側壁１３８は側壁１３８に形成された少なくとも１つの通気切り欠き１４８を含み、上部壁１４２は上部壁１４２に形成された少なくとも１つの通気開口部１５０を含む。したがって、図２を参照して、通気切り欠き部１４８及び通気開口部１５０により、キャニスタ基部１２６を通過する、容器本体１０２の内部１１４と乾燥剤キャニスタ１２８との間の気流経路１５２が設けられる。したがって、乾燥剤キャニスタ１２８に収容された乾燥剤が内部１１４と通気状態で連通することにより、乾燥剤によって空気から水蒸気及び酸素を除去することができる。これに加えて、キャニスタ基部１２６が容器本体１０２の側壁１２０から離間しているので、通気切り欠き部１４８により、キャニスタ基部１２６の全ての側面で乾燥剤と内部１１４との通気状態の連通を実現することによって、乾燥剤の除去能力が大きく向上するようになる。
【００２７】
隆起部１２２とキャニスタ基部１２６との協働によって気流経路１５２の生成がさらに容易にされる。本実施形態では、再び図２を参照すると、キャニスタ基部１２６の側壁１３８が、隆起部１２２が内部１１４の方に延在すろ距離を超える高さＨを持つ。したがって、キャニスタ基部１２６が隆起部１２２に結合されると、隆起部１２２とキャニスタ基部１２６の上部壁１４２との間に隙間１５４が形成される。隙間１５４によって気流経路１５２がさらに大きく画定される。
【００２８】
図６は乾燥剤キャニスタ１２８の例の斜視図であり、図７は乾燥剤キャニスタ１２８の断面図である。本実施形態では、乾燥剤キャニスタ１２８は、キャニスタ部１５６と、キャニスタ部１５６に結合される蓋部１５８とを含む。図７に示されているように、キャニスタ部１５６と蓋部１５８とは、スナップ式接続を用いて結合されて一体になる。例えば、キャニスタ部１５６にはアンダーカット特徴部（ｕｎｄｅｒｃｕｔ  ｆｅａｔｕｒｅ）１６０が形成され、蓋部１５８にはアンダーカット特徴部１６０と係合する保持特徴部１６２が形成される。
【００２９】
本実施形態では、キャニスタ部１５６と蓋部１５８とが乾燥剤キャニスタ１２８の内部１６４を画定し、内部１６４に乾燥剤の粒子（不図示）が入れられる。キャニスタ部１５６及び蓋部１５８は、これらに形成され、内部１６４と乾燥剤キャニスタ１２８の周囲環境である外部との通気の連通を実現する複数の通気開口部１６６も含む。したがって、通気開口部１６６により、周囲環境から通気開口部１６６を通して内部１６４まで流される空気中に含まれて運ばれる水蒸気及び酸素を、乾燥剤の粒子によって除去することができる。いくつかの実施形態では、乾燥剤の粒子を周囲環境にさらに曝し、キャニスタ部１５６をキャニスタ基部１２６（図４に示されている）に結合するのを容易にするように、蓋部１５８がキャニスタ部１５６から取り外し可能であり、以下、これをさらに詳細に説明する。
【００３０】
例えば、図２、図４、図５及び図８を参照して、容器本体１０２の内部１１４の固定位置で乾燥剤キャニスタ１２８を保持するようにキャニスタソケット１４４が構成されている。例えば、キャニスタソケット１４４はキャニスタソケット１４４に形成された少なくとも１つの保持特徴部１６８を含み、保持特徴部１６８は、キャニスタ基部１２６上で乾燥剤キャニスタ１２８を保持するように構成されている。特に上記で説明されているように、乾燥剤キャニスタ１２８は市販の製品であってもよく、キャニスタ部１５６と蓋部１５８との間のスナップ式接続を可能にするように乾燥剤キャニスタ１２８の蓋部１５８（図７に示されている）に保持特徴部１６２（図７に示されている）が形成されている。一実施形態では、保持特徴部１６８が保持特徴部１６２と実質的に同一であるので、乾燥剤キャニスタ１２８のキャニスタ部１５６がスナップ式接続を用いてキャニスタソケット１４４に結合されることが可能である。
【００３１】
加えて、乾燥剤キャニスタ１２８のキャニスタ部１５６は、キャニスタ部１５６から蓋部１５８が取り外されるときの開放端１７０と、閉鎖端１７２とを含む。本実施形態では、開放端１７０が閉鎖端１７２よりも容器本体１０２の底部壁１１８に近く、かつ開放端１７０がキャニスタ基部１２６の上部壁１４２に当接するようにキャニスタ部１５６が方向づけられる。したがって、気流経路１５２により、容器本体１０２の内部１１４とキャニスタ部１５６の内部１６４との通気の連通が実現されて、内部１６４に収容された乾燥剤の粒子の除去能力が大きく向上するようになる。
【００３２】
図９は医薬容器１００（図１に示されている）に用いられることができる別のキャニスタ組立体１７４の斜視図である。本実施形態では、キャニスタ組立体１７４は、キャニスタ基部１７６と、キャニスタ基部１７６に結合される乾燥剤キャニスタ１２８とを含む。キャニスタ基部１２６（図７に示されている）と同様に、キャニスタ基部１７６は、キャニスタ基部１７６の開口部１４０を画定する側壁１３８と、開口部１４０の反対側にある上部壁１４２も含む。キャニスタ基部１７６は、上部壁１４２に形成されたキャニスタソケット１７８も含む。本実施形態では、キャニスタソケット１７８は、ソケット本体１８０と、ソケット本体１８０から延びている複数の保持アーム１８２とを含む。ソケット本体１８０の寸法は、乾燥剤キャニスタ１２８に亘って延在し、ソケット本体１８０で乾燥剤キャニスタ１２８を少なくとも部分的に包囲するように決められている。これに加えて、保持アーム１８２がソケット本体１８０に対して径方向外方に撓むのを可能にする材料でキャニスタ基部１７６が形成されることにより、キャニスタ組立体１７４の組み立ての際にソケット本体１８０への乾燥剤キャニスタ１２８の挿入を可能にする。
【００３３】
さらに、保持アーム１８２は、保持アーム１８２に形成された保持特徴部１８４を含む。特に上記で説明されているように、ソケット本体１８０の寸法は、乾燥剤キャニスタ１２８全体に亘って延在し、乾燥剤キャニスタ１２８を少なくとも部分的に包囲するように決められる。保持アーム１８２がソケット本体１８０から延び、乾燥剤キャニスタ１２８の閉鎖端１７２を越えて延在する。したがって、保持特徴部１６２が乾燥剤キャニスタ１２８の閉鎖端１７２に係合して、ソケット本体１８０内で乾燥剤キャニスタ１２８が強力に保持されるようになる。
【００３４】
図１０は医薬容器１００を製造するための一連のプロセスステップを示すフロー図である。本実施形態では、一連のプロセスステップはブロー成形システム１８６によって実行される。ブロー成形システム１８６は、第１の金型組立体１８８と、第１の金型組立体１８８内に配置されるブロー成形インサート１９０とを含む。ブロー成形インサート１９０は、ブロー成形インサート１９０と第１の金型組立体１８８の側壁１９２との間にキャビティ１９４が形成されるように第１の金型組立体１８８の側壁１９２から所定の距離に配置される。第１のプロセスステップ１９６では、成形プリフォーム１９８がブロー成形インサート１９０の周囲に形成されるようにキャビティ１９４に熱可塑性材料が射出される。その後、第１の金型組立体１８８からブロー成形インサート１９０が取り除かれる。
【００３５】
ブロー成形システム１８６は、医薬容器１００を形成するのを容易にするように互いに対して並進移動可能である一対の半割型２０２を含む第２の金型組立体２００も含む。半割型２０２の各々は、組み合わされるときに医薬容器１００の外形を形成するのに有効に用いられる内部側壁２０４を含む。ブロー成形システム１８６は、医薬容器１００の隆起部１２２を形成するように構成されている形成部材２０６も含み、以下、これをさらに詳細に説明する。第２のプロセスステップ２０８では、半割型２０２が互いに分かれ、ブロー成形インサート１９０及び形成部材２０６が半割型２０２の間に配置される。例えば、ブロー成形インサート１９０は第２の金型組立体２００の上端２１０に配置され、形成部材２０６は第２の金型組立体２００の反対側にある下端２１２に配置される。下端２１２は、医薬容器１００の底部壁１１８を形成するように成形されている。
【００３６】
第３のプロセスステップ２１４では、ブロー成形インサート１９０と形成部材２０６とが半割型２０２の間で囲まれるように半割型２０２が互いに向かって並進移動させられる。第４のプロセスステップ２１６では、ブロー成形インサート１９０に空気が注入され、成形プリフォーム１９８が膨らんで第２の金型組立体２００及び形成部材２０６の形状に沿わされる。特に、成形プリフォーム１９８は半固形状態にあり、ブロー成形インサート１９０に空気を注入することで、成形プリフォーム１９８をブロー成形インサート１９０から離して半割型２０２に向かって膨らませ易くなる。
【００３７】
第５のプロセスステップ２１８では、成形プリフォーム１９８を少なくとも所定程度硬化させ、半割型２０２が並進移動させられて成形プリフォーム１９８から離れ、第２の金型組立体２００及び／又は医薬容器１００からブロー成形インサート１９０と形成部材２０６とが取り除かれる。特に上記で説明されているように、医薬容器１００の隆起部１２２を形成するように形成部材２０６が構成されている。本実施形態では、形成部材２０６は、隆起部１２２の係合特徴部１３２を形成するように構成されている本体部２２０及び径方向フランジ２２２を含む。第５のプロセスステップ２１８では、第２の型組立体２００及び／又は医薬容器１００から形成部材２０６を取り除く前に成形プリフォーム１９８を径方向フランジ２２２の周囲で少なくとも所定程度硬化させる。
【００３８】
径方向フランジ２２２の直径が本体部２２０の直径を超えるので、成形プリフォーム１９８が形成部材２０６の周囲で硬化したときに、そのときに形成された医薬容器１００によって第２の金型組立体２００内で径方向フランジ２２２が保持される。特に、保持力による径方向フランジ２２２の保持が医薬容器１００によって強まるように、径方向フランジ２２２は本体部２２０に対して径方向の固定位置にある（すなわち、径方向フランジ２２２は本体部２２０に対して引き込み可能ではない）。したがって、一実施形態では、第２の金型組立体２００から形成部材２０６を取り除き、医薬容器１００との係合状態から脱するステップは、保持力に打ち勝つように形成部材２０６を医薬容器１００から強制的に引き離すステップを含む。すなわち、隆起部１２２の形状を永久変形させずに医薬容器１００から形成部材２０６を取り除くことを可能にする、可撓性を有し、かつ／又は弾性的に変形可能である材料で医薬容器１００が作製される。
【００３９】
一実施形態では、径方向フランジ２２２は本体部２２０に対して引き込み可能であり、医薬容器１００から形成部材２０６を取り除くステップは、医薬容器１００から形成部材２０６を取り除く前に径方向フランジ２２２を本体部２２０内に引き込むステップを含む。したがって、医薬容器１００から形成部材２０６を取り除くのを阻害しないように径方向フランジ２２２が引き込まれるので、取り除くプロセスで隆起部１２２を変形させ得る可能性が下がる。
【００４０】
図１１は別の医薬容器２２４の破断斜視図であり、図１２は医薬容器２２４の底部の破断斜視図である。本実施形態では、医薬容器２２４は、容器部２２８及びネック部２３０を含む容器本体２２６を含む。容器本体２２６の内部２３４への出し入れを実現する開口部２３２がネック部２３０によって形成されている。容器本体２２６は底部壁２３６及び側壁２３８を含む。底部壁２３６は底部壁２３６に形成された隆起部２４０を有し、隆起部２４０は内部２３４の方に延在するように方向づけられている。これに加えて、医薬容器２２４は、内部２３４に配置されるキャニスタ組立体２４２を含む。キャニスタ組立体２４２は、キャニスタ基部２４４と、キャニスタ基部２４４に結合される乾燥剤キャニスタ２４６とを含み、以下、これらをさらに詳細に説明する。キャニスタ基部２４４が隆起部２４０に取り外し可能に結合される。隆起部２４０に結合されるときには、乾燥剤キャニスタ２４６が容器本体２２６の内部２３４の決められた不動の位置で保持される。
【００４１】
本実施形態では、キャニスタ基部２４４が隆起部２４０にスナップ式接続を用いて結合される。例えば、図１２に示されているように、隆起部２４０が側壁２４８を含み、側壁２４８は、側壁２４８に形成された少なくとも１つの係合特徴部２５０を有する。係合特徴部２５０は、側壁２４８から延びる径方向突出部２５２を含み、径方向突出部２５２は、径方向突出部２５２と底部壁２３６との間に凹所２５４が形成されるように延びる。凹所２５４の寸法は、凹所２５４にキャニスタ基部２４４の一部を収容してスナップ式接続を用いてキャニスタ基部２４４を隆起部２４０の方に押さえつけておくのを容易にするように決められている。隆起部２４０は上面２５６と、上面２５６に形成された軸線方向突起２５８も含む。
【００４２】
再び図１１を参照して、軸線方向突起２５８により、キャニスタ基部２４４が隆起部２４０に結合されたときに、上面２５６と乾燥剤キャニスタ２４６との間に隙間２６０が確実に形成されることが容易になる。特に、キャニスタ基部２４４はキャニスタ基部２４４に形成された保持リップ２６２を含み、これは、内部２３４での乾燥剤キャニスタ２４６の軸線方向の移動を制限するのに有効に働く。しかし、乾燥剤キャニスタ２４６がキャニスタ基部２４４に対してかつキャニスタ基部２４４内で別の方向に移動する可能性がある。したがって、キャニスタ組立体２４２が隆起部２４０に結合されたときに乾燥剤キャニスタ２４６が軸線方向突起２５８に接触した状態で配置され、隙間２６０が形成されて内部２３４と乾燥剤キャニスタ２４６との通気状態の連通を実現するのが容易になる。
【００４３】
図１３はキャニスタ基部２４４の斜視図であり、図１４は別のキャニスタ基部２６４の斜視図である。キャニスタ基部２４４の説明はキャニスタ基部２６４にも適用可能である。本実施形態では、キャニスタ基部２４４は、キャニスタソケット２６６及び基部構造２６８を含む。基部構造２６８は、環状リング２７０と、キャニスタソケット２６６と環状リング２７０との間に延在する複数の支持部材２７２とを含む。隣接する支持部材２７２間に通気開口部２７４が形成されるように環状リング２７０に亘って複数の支持部材２７２が周方向に離間している。環状リング２７０は、環状リング２７０に形成された複数の窪み２７６及び複数の切り欠き２７８も有し、これにより、環状リング２７０が可撓性と剛性とのバランスをとってキャニスタ基部２４４と隆起部２４０（図１２に示されている）とのスナップ式接続を容易にすることができる。
【００４４】
図１５は、医薬容器２２４（図１１に示されている）と共に用いられることができる別のキャニスタ基部２７８の斜視図である。本実施形態では、キャニスタ基部２７８はキャニスタソケット２８０及び基部構造２８２を含む。基部構造２８２は、環状リング２８４と、キャニスタソケット２８０と環状リング２８４との間で延在する複数の支持部材２８６とを含む。複数の支持部材２８６の各々は、キャニスタ基部２７８に剛性を付与する支持リブ２８８を含む。
【００４５】
図１６は、医薬容器２２４を組み立てるのに用いられることができる組立装置２９０の一例の分解図である。本実施形態では、組立装置２９０は、ネック部２３０の開口部２３２を通して挿入されるように寸法が決められたキャニスタ取付部材２９２を含む。キャニスタ取付部材２９２は、第１の端２９４と、第１の端２９４に形成されたキャニスタキャビティ２９６とを含む。キャニスタキャビティ２９６は、キャニスタ空所２９６にキャニスタ基部２４４を収容するように寸法が決められている。例えば、取付プロセスでは、キャニスタキャビティ２９６内にキャニスタ基部２４４のキャニスタソケット２６６が配置され、キャニスタ基部２４４内に乾燥剤キャニスタ２４６が配置される。その後、キャニスタ取付部材２９２の第１の端２９４が開口部２３２を通して挿入され、隆起部２４０に向けて並進移動させられる。キャニスタ取付部材２９２によってキャニスタ基部２４４を隆起部２４０に強制的に被せて、これらの間のスナップ式接続が形成されることが可能になる。したがって、キャニスタ基部２４４によって乾燥剤キャニスタ２４６が隆起部２４０に押さえつける状態におかれ、医薬容器２２４内での乾燥剤キャニスタ２４６の移動の制限が強化される。その後、医薬容器２２４内からキャニスタ取付部材２９２が引き抜かれる。いくつかの実施形態では、医薬容器２２４が逆さにされた状態で設置プロセスが実行されることから、キャニスタ基部２４４はキャニスタ空所２９６内に拘束されずに設置される。したがって、スナップ式接続の結果として、隆起部２４０によってキャニスタ基部２４４に誘起される保持力は、取り付けの際にキャニスタ空所２９６からキャニスタ基部２４４を取り出すのを容易にするのに十分である。
【００４６】
図１７は別のキャニスタ基部２９８の斜視図である。本実施形態では、キャニスタ基部２９８はキャニスタソケット３００及び基部構造３０２を含む。基部構造３０２は、環状リング３０４と、キャニスタソケット３００と環状リング３０４との間に延在する複数の支持部材３０６とを含む。環状リング３０４は、下縁３０８と、上縁３１０と、これらの間に延在する本体部３１２とを有する。複数の支持部材３０６が、隣接する支持部材３０６間に通気開口部３１４が形成されるように環状リング３０４に周方向に亘って離間している。図１８を参照すると、本体部３１２は下縁３０８と上縁３１０との間で実質的に連続しており、上縁３１０は、キャニスタ基部２９８の長手方向軸線３１６に対してキャニスタソケット３００上に亘って延在している。（図１３に示されている）キャニスタ基部２４４と比較すると、例えば、本体部３１２にはキャニスタ基部２９８の外周に沿って形成される溝や開口部が実質的に無い。したがって、キャニスタ基部２９８の剛性及び把持能力が強化される。
【００４７】
図２０は別の医薬容器３１８の正面部分破断図であり、図２１は医薬容器３１８の断面図である。本実施形態では、医薬容器３１８は、底部壁３２２及び側壁３２４を含む容器本体３２０を含む。底部壁３２２は底部壁３２２に形成された隆起部３２６を有し、隆起部３２６は医薬容器３１８の内部３２８へ延在するように方向づけられている。これに加えて、隆起部３２６は、突出部、突起部、不連続部分などの無い略円筒形の形状を持つ。医薬容器３１８は、内部３２８に配置されるキャニスタ組立体３３０も含む。キャニスタ組立体３３０は、キャニスタ基部３３２と、キャニスタ基部３３２に結合される乾燥剤キャニスタ３３４とを含む。医薬容器３１８内にキャニスタ組立体３３０を取り付けるステップは、内部３２８にキャニスタ組立体３３０を挿入するステップと、例えば締まり嵌めなどを用いてキャニスタ基部３３２を隆起部３２６に被せて配置するステップとを含む。その後、任意の適切な技術を用いて隆起部３２６にキャニスタ基部３３２が固定される。例えば、一実施形態では、隆起部３２６にキャニスタ基部３３２が超音波溶接される。したがって、キャニスタ基部３３２が隆起部３２６とは別々に形成された後、乾燥剤キャニスタ３３４が内部３２８の決められた不動の位置で保持されるように、キャニスタ基部３３２が隆起部３２６と一体的に接合される。
【００４８】
図２２は、医薬容器３１８（図２０に示されている）に用いられることができる別のキャニスタ基部３３５の斜視断面図である。キャニスタ基部３３５は、円筒側壁３３７と、円筒側壁３３７によって形成される内部３４１内で接続される隔壁３３９と、円筒側壁３３７に亘って周方向に互いに離間している複数の保持特徴部３４３とを含む。保持特徴部３４３は円筒側壁３３７から内部３４１へ延在する。これに加えて、円筒側壁３３７に複数の窪み３４５が形成されており、隔壁３３９に複数の切り欠き３４７が形成されている。窪み３４５及び切り欠き３４７により、保持特徴部３４３に、キャニスタ基部３３２と比較してより深いアンダーカット部（ｕｎｄｅｒｃｕｔ）が形成されることが可能になる。したがって、キャニスタ基部３３５には、より強い保持力で乾燥剤キャニスタ３３４（図２０に示されている）を保持する能力がある。
【００４９】
図２３は別の医薬容器３３６の部分破断図であり、図２４は医薬容器３３６の断面図である。概説すれば、医薬容器３３６には例えば医薬容器１００（図１に示されている）よりも大きな容積的能力がある。したがって、医薬容器３３６は、医薬容器１００よりも大量の乾燥剤を入れるように構成されることができる。例えば、医薬容器３３６は、容器本体３３８と、容器本体３３８内に結合される長尺キャニスタ基部３４０とを含む。長尺キャニスタ基部３４０は、キャニスタソケット３４２及び基部構造３４４を含む。基部構造３４４は、環状リング３４６と、キャニスタソケット３４２と環状リング３４６との間で延在する複数の支持部材３４８とを含む。複数の支持部材３４８は環状リング３４６に亘って周方向に離間している。これに加えて、支持部材３４８は支持部材３４８に形成された通気開口部３５０を含む。
【００５０】
図２４を参照すると、市販の乾燥剤キャニスタ３５２は限られたサイズしか入手できない場合がある。したがって、複数の乾燥剤キャニスタ３５２が長尺キャニスタ基部３４０内で端面同士を合わせて並べられて、医薬容器３３６に収容された乾燥剤の量を増やすように、乾燥剤キャニスタ３５２は積み重ね可能となっている。これに加えて、通気開口部３５０は、乾燥剤キャニスタ３５２が両方とも医薬容器３３６内の周囲空気に曝されるのを可能にする長さを持つ。図では２つの乾燥剤キャニスタ３５２を入れるように示されているが、２つ以上の乾燥剤キャニスタや、様々な寸法の乾燥剤キャニスタが長尺キャニスタ基部３４０内で積み重ねられてもよいと理解されるべきである。
【００５１】
図２５は医薬容器３３６に用いられることができる、別の長尺キャニスタ基部３５４の斜視図であり、図２６は長尺キャニスタ基部３５４の断面図である。長尺キャニスタ基部３４０（図２３及び図２４に示されている）と同様に、長尺キャニスタ基部３５４は、キャニスタソケット３４２と環状リング３４６との間に延在する複数の支持部材３５６も含み、複数の支持部材３５６は環状リング３４６に亘って周方向に離間している。各支持部材３５６は、基端３５８及び先端３６０並びに先端３６０に形成された通気開口部３６２を含む。図２６を参照すると、キャニスタソケット３４２に流路３６４が形成されており、通気開口部３６２と流路３６４とが通気連通するように、支持部材３５６が流路３６４を囲むように方向づけられている。したがって、支持部材３５６は支持部材３４８と比較して高い剛性を持ち、支持部材３５６は、乾燥剤キャニスタ３５２が両方とも医薬容器３３６内の周囲空気に曝されるのを可能にするように構成されている。
【００５２】
図２７は別の医薬容器３６６の部分破断図であり、図２８は医薬容器３６６の断面図である。本実施形態では、医薬容器３６６は、底部壁３７０及び側壁３７２を含む容器本体３６８を含む。底部壁３７０は、底部壁３７０に形成された隆起部３７４を有し、隆起部３７４は、医薬容器３６６の内部３７６の方へ延在するように方向づけられている。これに加えて、隆起部３７４は、突出部、突起部、不連続部分などの無い略円筒形の形状を有する。医薬容器３６６は、内部３７６に配置されるキャニスタ組立体３７８も含む。キャニスタ組立体３７８は、キャニスタ基部３８０と、キャニスタ基部３８０に結合される乾燥剤キャニスタ３８２とを含む。医薬容器３６６内にキャニスタ組立体３７８を取り付けるステップは、内部３７６にキャニスタ組立体３７８を挿入するステップと、例えば締まり嵌めなどを用いてキャニスタ基部３８０を隆起部３７４に被せて配置するステップとを含む。その後、任意の適切な技術を用いて隆起部３７４にキャニスタ基部３８０が固定される。例えば、一実施形態では、隆起部３７４にキャニスタ基部３８０が超音波溶接される。したがって、キャニスタ基部３８０が隆起部３７４とは別々に形成された後、乾燥剤キャニスタ３８２が内部３７６の決められた不動の位置で保持されるように、キャニスタ基部３８０が隆起部３７４と一体的に接合される。
【００５３】
図２８を参照して、乾燥剤キャニスタ３８２は、キャニスタ基部３８０内での結合を容易にするように設計されている。例えば、キャニスタ基部３８０はキャニスタソケット３８４及び基部構造３８６を含む。キャニスタソケット３８４は、内部３８８と、内部３８８を少なくとも部分的に形成する側壁３９０と、側壁３９０によって形成され、内部３８８への出し入れを実現する開口部３９２と、側壁３９０から内部３８８へ延在する保持特徴部３９４とを含む。これに加えて、乾燥剤キャニスタ３８２は、第１の端部３９８及び第２の端部４００を有する略円筒形の本体３９６を含む。第１の端部３９８及び第２の端部４００の各々には、円筒形の本体３９６に亘って周方向に延在する面取り特徴部４０２が形成されている。内部３８８で乾燥剤キャニスタ３８２を保持するのを容易にするように、内部３８８に乾燥剤キャニスタ３８２が挿入されるときに、面取り特徴部４０２が保持特徴部３９４と係合可能である。例えば、面取り特徴部４０２により、乾燥剤キャニスタ３８２がキャニスタソケット３８４とスナップ式接続を用いて係合されることが可能になる。
【００５４】
本記載による説明では、例を用いて、最良の態様を含む様々な実現例を開示し、また、任意の装置やシステムの製造及び使用並びにその一部として組み入れられる任意の方法の実行を含む様々な実現例をいかなる当業者でも実施することができるようにもしている。本開示の特許範囲は請求項によって決められ、当業者が想到する他の例を含んでもよい。このような他の例は、当該例が請求項の字句通りの文言との違いのない構造要素を有する場合や、当該例が請求項の字句通りの文言との実質的でない違いをともなう均等構造要素を含む場合に、請求項の範囲に入ることが意図されている。
【図１】
2021528198.tif 000003
【図２】
2021528198.tif 000004
【図３】
2021528198.tif 000005
【図４】
2021528198.tif 000006
【図５】
2021528198.tif 000007
【図６】
2021528198.tif 000008
【図７】
2021528198.tif 000009
【図８】
2021528198.tif 000010
【図９】
2021528198.tif 000011
【図１０】
2021528198.tif 000012
【図１１】
2021528198.tif 000013
【図１２】
2021528198.tif 000014
【図１３】
2021528198.tif 000015
【図１４】
2021528198.tif 000016
【図１５】
2021528198.tif 000017
【図１６】
2021528198.tif 000018
【図１７】
2021528198.tif 000019
【図１８】
2021528198.tif 000020
【図１９】
2021528198.tif 000021
【図２０】
2021528198.tif 000022
【図２１】
2021528198.tif 000023
【図２２】
2021528198.tif 000024
【図２３】
2021528198.tif 000025
【図２４】
2021528198.tif 000026
【図２５】
2021528198.tif 000027
【図２６】
2021528198.tif 000028
【図２７】
2021528198.tif 000029
【図２８】
2021528198.tif 000030
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
底部壁を備える容器本体であって、底部壁は容器本体の内部を少なくとも部分的に画定し、底部壁は内部の方へ延在する隆起部を具備する容器本体と、
隆起部に結合されるキャニスタ基部であって、キャニスタ基部が隆起部に結合されたときに、容器本体の内部で乾燥剤キャニスタを保持するように構成されているキャニスタ基部と、
を備える医薬容器。
【請求項２】
キャニスタ基部は隆起部に締まり嵌めを用いて結合可能である、請求項１に記載の医薬容器。
【請求項３】
キャニスタ基部は、隆起部とは別個に形成された後、隆起部と一体的に接合される、請求項１に記載の医薬容器。
【請求項４】
隆起部は、突出部、突起部、不連続部分などの無い略円筒形の形状を有する、請求項１に記載の医薬容器。
【請求項５】
キャニスタ基部は、キャニスタ基部の開口部を画定する側壁と、開口の反対側にある隔壁と、隔壁に形成されたキャニスタソケットとを備え、キャニスタソケットは、乾燥剤キャニスタを保持するように構成されている、請求項１に記載の医薬容器。
【請求項６】
キャニスタ基部の寸法が、キャニスタ基部を隆起部に結合するために開口に隆起部が挿入可能であるように、隆起部に亘ってキャニスタ基部が延在するように決められる、請求項５に記載の医薬容器。
【請求項７】
キャニスタ基部の側壁と隔壁の少なくとも一方が、キャニスタ基部を通過する、容器本体の内部と乾燥剤キャニスタとの間の気流経路が設けられるように、これらに形成された少なくとも１つの通気開口部を備える、請求項５に記載の医薬容器。
【請求項８】
キャニスタソケットが、キャニスタ基部に乾燥剤キャニスタを結合するように構成されている複数の保持特徴部を備える、請求項５に記載の医薬容器。
【請求項９】
複数の保持特徴部はキャニスタソケットに周方向に亘って離間する、請求項８に記載の医薬容器。
【請求項１０】
側壁に形成されたｉｄｅｎｔと、隔壁に形成された切り欠きとの各々は、複数の保持特徴部の内の対応する保持特徴部に付随する、請求項８に記載の医薬容器。
【請求項１１】
キャニスタ基部は、隆起部に接触した状態で隔壁を配置するように、隆起部に締まり嵌めを用いて結合可能である、請求項５に記載の医薬容器。
【請求項１２】
容器本体は、容器本体の内部への出し入れを実現するように構成されている開口部を形成するネック部をさらに備え、キャニスタ基部の寸法が、開口部を通してキャニスタ基部が挿入可能であるように決められる、請求項１に記載の医薬容器。
【請求項１３】
医薬容器であって、
底部壁を備える容器本体であって、底部壁は容器本体の内部を少なくとも部分的に画定し、底部壁は内部へ延在する隆起部を備える容器本体と、
隆起部とは別個に形成された後、隆起部と一体的に接合されるキャニスタ基部であって、キャニスタ基部は、キャニスタ基部が隆起部に結合されたときに、容器本体の内部で乾燥剤キャニスタを保持するように構成されている、キャニスタ基部と、
を備える医薬容器。
【請求項１４】
隆起部とキャニスタ基部との間に溶接継手が形成される、請求項１３に記載の医薬容器。
【請求項１５】
隆起部は、突出部、突起部、不連続部分などの無い略円筒形の形状を有する、請求項１３に記載の医薬容器。
【請求項１６】
キャニスタ基部は、キャニスタ基部の開口を画定する側壁と、開口の反対側にある隔壁と、隔壁に形成されたキャニスタソケットとを備え、キャニスタソケットは、乾燥剤キャニスタを保持するように構成されている、請求項１３に記載の医薬容器。
【請求項１７】
医薬容器の組立方法であって、
医薬容器の開口部を通してキャニスタ基部を挿入するステップであって、医薬容器は、底部壁と、底部壁によって少なくとも部分的に画定された内部とを有する容器本体を含み、底部壁は内部の方へ延在する隆起部を含むステップと、
キャニスタ基部を隆起部に結合するステップと、
キャニスタ基部に乾燥剤キャニスタを結合するステップと、
を備える方法。
【請求項１８】
キャニスタ基部を結合するステップは、キャニスタ基部を隆起部に締まり嵌めを用いて結合するステップを備える、請求項１７に記載の方法。
【請求項１９】
キャニスタ基部を隆起部に溶接を用いて一体的に接合するステップをさらに備える、請求項１８に記載の方法。
【請求項２０】
乾燥剤キャニスタが内部に封入されるように開口に誘導加熱封止を行なうステップをさらに備える、請求項１７に記載の方法。
【国際調査報告】
2021528198.tif 000031
2021528198.tif 000032
2021528198.tif 000033